(57)【要約】      （修正有）【課題】強度を向上するために、追加工程にて組み立てが容易であり、安価で、作業性が良い補強ユニットを備えたトラス式構造体を提供する。【解決手段】基台２上面に垂直状態で固定されて外壁を構成する複数の壁パネルユニットと、前記其台と複数の壁パネルユニットとで構成される構造体を補強する補強ユニットと、該壁パネルユニットを隣接状態で枠組することで形成された上方開口を閉成した状態で前記複数の壁パネルユニットの上縁に固定された一つ以上のトラス屋根ユニットとにより、トラス式構造体を構成する。また、前記補強ユニットは、梁９、第１の柱３０、第２の柱３１、ラーメンユニット１０、ピンブレースユニット２０とで構成する。【選択図】図５
0003170692.tif 000002
【実用新案登録請求の範囲】
【請求項１】
基台上面に垂直状態で固定されて外壁を構成する複数の壁パネルユニットと、
前記其台と複数の壁パネルユニットとで構成される構造体を補強する補強ユニットと、
該壁パネルユニットを隣接状態で枠組することで形成された上方開口を閉成した状態で前記複数の壁パネルユニットの上縁に固定された一つ以上のトラス屋根ユニットとを備えたトラス式構造体において、
前記補強ユニットは、梁、第１の柱、第２の柱、ラーメンユニット、ピンブレースユニットとで構成されたことを特徴とする補強ユニットを備えたトラス式構造体。
【請求項２】
前記ラーメンユニットの構造は、前記第１の柱と前記梁および其台の交差部に設けられた接合部アングルＡ、あるいは接合部アングルＢと、前記第２の柱の中央領域に設けられた中継アングルとの間を、補強棒２本にて斜め方向に接合したユニットが、６個配置された構造であって、
また、前記ピンブレースユニットの構造は、柱と梁および其台の交差部に設けられた接合部アングルＡ、あるいは接合部アングルＢを交差して、斜めに配置した補強棒４本にて、接合したユニットを４個配置された構造であることを特徴とする請求項１記載の補強ユニットを備えたトラス式構造体。
【請求項３】
前記補強棒は、鉄材、ステンレス鋼、あるいは樹脂（あるいは炭素繊維）のいずれかであることを特徴とする請求項２記載の補強ユニットを備えたトラス式構造体。
【請求項４】
前記補強ユニットを、複数組備えたことを特徴とする請求項１記載の補強ユニットを備えたトラス式構造体。
【考案の詳細な説明】
【技術分野】
【０００１】
本考案は、河川等の水上や水際等の水平面で無い土地に土台を作成し、その土台上に組み立て式構造体を構築するトラス式構造体に関するもので、特に補強ユニットを備えたトラス式構造体に関する。
【背景技術】
【０００２】
従来から、ユニット式住宅等の建物において、所謂、妻面と平行な山形の屋根トラスを桁行方向に並べて複数設け、これら屋根トラスの上に屋根パネルを載せ、屋根葺材等の仕上げ材を施すトラス式構造体が知られている（例えば、特許文献１参照）。
【０００３】
この際、ユニット式住宅の構築時には、柱や梁に外壁等を予め固定し、現場での組み立ての容易化を図っている。
【０００４】
また、この他に、屋根をいくつかの三角形の箱体に分割して工場生産し、これを現場に運搬して接合するユニット屋根形式が採られる場合もある。
【先行技術文献】
【特許文献】
【０００５】
【特許文献１】特開平０７−２３８６２５号公報
【考案の概要】
【考案が解決しようとする課題】
【０００６】
ところで、このようなユニット式住宅の場合、基本的には宅地での構築であるため、建物の土台（基礎）は厳密な水平基準とされると共に、その土台も略水平な土地に整備された状態で構築される。
【０００７】
したがって、土台上に建物を構築する際には、壁の高さは一定であり、床面の水平度も容
易に出すことができる。
【０００８】
しかしながら、河川等の水上や水際等の水平面で無い土地に土台を作成した場合、土地が不安定であるために、作成した土台の水平度を出すことは非常に困難であり、このような土台上に、例えば、休憩所・観測所・温泉の脱衣所等の比較的簡素な建物を組み立て式で構築するには、上述したユニット式住宅の技術をそのまま採用したのでは非常に高価な建物となってしまう。
【０００９】
また、これら休憩所等に適用可能な簡素なトラス式構造体としては、所謂、プレハブ式或いは物置式等が周知であるが、機能的には優れているものの、前記トラス式構造体を大型化する場合には、建物としての強度が不足するという問題点があり、また、前記トラス式構造体の中には、使用される材質によっては、建物としての強度が満足していないという問題点があった。
【００１０】
一方、近年の建物に対する安全基準の高基準化、周囲環境との調和性や高級感志向等の関係から、上述した比較的簡素な建物にあっても、家屋よりも安価でありながら、家屋並みの建物の構築化が要望されている。
【００１１】
本考案の課題は、追加工程にて組み立てが容易であり、安価で、組み立ての作業性が良い補強ユニットを備えた、建物としての強度を改善した、トラス式構造体を提供することである。
【課題を解決するための手段】
【００１２】
その目的を達成するため、請求項１に記載の補強ユニットを備えたトラス式構造体は、基台上面に垂直状態で固定されて外壁を構成する複数の壁パネルユニットと、前記其台と複数の壁パネルユニットとで構成される構造体を補強する補強ユニットと、該壁パネルユニットを隣接状態で枠組することで形成された上方開口を閉成した状態で前記複数の壁パネルユニットの上縁に固定された一つ以上のトラス屋根ユニットとを備えたトラス式構造体において、前記補強ユニットは、梁、第１の柱、第２の柱、ラーメンユニット、ピンブレースユニットとで構成されたことを特徴とする補強ユニットを備えたトラス式構造体である。
【００１３】
また、請求項２に記載の補強ユニットを備えたトラス式構造体は、前記ラーメンユニットの構造は、前記第１の柱と前記梁および其台の交差部に設けられた接合部アングルＡ、あるいは接合部アングルＢと、前記第２の柱の中央領域に設けられた中継アングルとの間を、補強棒２本にて斜め方向に接合したユニットが、６個配置された構造であって、
また、前記ピンブレースユニットの構造は、柱と梁および其台の交差部に設けられた接合部アングルＡ、あるいは接合部アングルＢを交差して、斜めに配置した補強棒４本にて、接合したユニットを４個配置された構造であることを特徴とする請求項１記載の補強ユニットを備えたトラス式構造体である。
【００１４】
請求項３に記載の補強ユニットを備えたトラス式構造体は、前記補強棒が、鉄材、ステンレス鋼、あるいは樹脂のいずれかであることを特徴とする請求項２記載の補強ユニットを備えたトラス式構造体である。
【００１５】
請求項４に記載の補強ユニットを備えたトラス式構造体は、前記補強ユニットを、複数組備えたことを特徴とする請求項１記載の補強ユニットを備えたトラス式構造体。
【考案の効果】
【００１６】
請求項１〜３に記載の補強ユニットを備えたトラス式構造体によれば、従来のトラス式構造体に、後工程にて、補強ユニットを配置して、強度を向上することが可能である。
【００１７】
請求項４に記載の補強ユニットを備えたトラス式構造体によれば、複数組の補強ユニットを備えることによって、大型のトラス式構造体の補強も可能となる。
【００１８】
本考案によれば、追加工程にて組み立てが容易であり、安価で、組み立ての作業性が良く、かつスペースを取らない補強ユニットを提供でき、従って、建物としての強度を改善した、しかも内部での作業スペースを確保できるトラス式構造体を提供することができる。
【図面の簡単な説明】
【００１９】
【図１】本考案の補強ユニットを備えたトラス式構造体を示すトラス屋根の一部を取り除いた状態のトラス式構造体の斜視図である。
【図２】本考案のトラス式構造体を示すトラス構造体の断面図である。
【図３】本考案のトラス式構造体を示す一部を取り除いた状態のトラス式構造体の側面図である。
【図４】本考案のトラス式構造体の建設途中の状態を示す壁パネルユニットが４面組み付けられた状態の斜視図である。
【図５】本考案の実施例１によるトラス式構造体に使用される補強ユニットの斜視図である。
【図６】図５の補強ユニットにおける接合部分Ａの周辺の拡大図である。
【図７】図５の補強ユニットにおける接合部分Ｂの周辺の拡大図である。
【図８】図５の補強ユニットにおける接合部分Ｃの周辺の拡大図である。
【図９】図５の補強ユニットにおける接合部分Ｄの周辺の拡大図である。
【図１０】実施例２による補強ユニットの斜視図であり、補強ユニットを複数組配置して、大型のトラス式構造体に対応できる例である。
【考案を実施するための形態】
【００２０】
本考案の補強ユニットを備えたトラス式構造体は、基台上面に垂直状態で固定されて外壁を構成する複数の壁パネルユニットと、前記其台と複数の壁パネルユニットとで構成される構造体を補強する補強ユニットと、該壁パネルユニットを隣接状態で枠組することで形成された上方開口を閉成した状態で前記複数の壁パネルユニットの上縁に固定された一つ以上のトラス屋根ユニットとを備えたトラス式構造体において、前記補強ユニットは、梁、柱、ラーメンユニット、ピンブレースユニットとで構成されたことを特徴とするトラス式構造体である。
ここで、前記補強棒は、鉄材、ステンレス鋼、あるいは樹脂、あるいは炭素繊維のいずれかであることを特徴とするが、通常は、鉄材が使用される。
【実施例】
【００２１】
本考案のトラス式構造体に使用される補強ユニットの実施例について記載する。
【００２２】
（実施例１）
図１は、本考案の補強ユニットを備えたトラス式構造体の斜視図である。また、図２は、本考案の補強ユニットを備えたトラス式構造体の断面図である。更に図３は、本考案の補強ユニットを備えたトラス式構造体の側面図である。ここで、補強ユニットは、トラス式構造体１の内部に配置されており、図１、図２、図３では、補強ユニットを図示していない。図４は、本考案の補強ユニットを備えたトラス式構造体について、補強ユニットを建設する前の途中の状態であって、基台２の上に壁パネルユニット３を４面方向に組み付け状態の斜視図である。
ここで、図４にて、前記４面方向に関して、トラス構造体の長手方向をＸ方向とし、短辺方向をＹ方向とする。
【００２３】
図５は、本考案の補強ユニットを備えたトラス式構造体に使用される補強ユニットの斜視図である。ここで、図５のトラス式構造体は、複数の梁９、第１の柱３０、第２の柱３１、ラーメンユニット１０が６個、ピンブレースユニット２０が４個とで構成されたことを特徴とする。
ラーメンユニット１０は、補強棒７０の２本が、中間接合部５０で接合されており、前記中間接合部５０は、第２の柱３１の中央に配置されている。
ピンブレースユニット２０は、補強棒７１の２本が交差して形成されている。
ここで、ラーメンユニット１０の面方向は、Ｙ方向であり、ピンブレースユニット２０の面方向は、Ｘ方向である。
【００２４】
図６は、図５の補強ユニットにおける接合部分Ａの周辺の拡大図である。
また、図７は、図５の補強ユニットにおける接合部分Ｂの周辺の拡大図である。
図８は、図５の補強ユニットにおける接合部分Ｃの周辺の拡大図である。
図９は、図５の補強ユニットにおける接合部分Ｄの周辺の拡大図である。
【００２５】
（実施例２）
図１０は、実施例２による補強ユニットの斜視図であり、補強ユニットを複数組配置して、
大型のトラス式構造体に対応できる例である。図中、１０は、ラーメンユニットであり、２０は、ピンブレーズユニットである。
【符号の説明】
【００２６】
１０    ラーメンユニット
２０    ピンブレースユニット
３０、  第１の柱
３１    第２の柱
４０、４１    接合部アングルＡ
５０    接合部アングルＢ（中間接合部）
６０、６１    接合部アングルＣ
７０、７１    補強棒
８０    補強棒の中継部材
９，９１    梁      
１…トラス式構造体
２…基台
２ａ…上面
３…壁パネルユニット
３ａ…下枠
４…トラス屋根ユニット
【図１】
0003170692.tif 000003
【図２】
0003170692.tif 000004
【図３】
0003170692.tif 000005
【図４】
0003170692.tif 000006
【図５】
0003170692.tif 000007
【図６】
0003170692.tif 000008
【図７】
0003170692.tif 000009
【図８】
0003170692.tif 000010
【図９】
0003170692.tif 000011
【図１０】
0003170692.tif 000012
【手続補正書】
【提出日】平成23年7月25日(2011.7.25)
【手続補正１】
【補正対象書類名】実用新案登録請求の範囲
【補正対象項目名】全文
【補正方法】変更
【補正の内容】
【実用新案登録請求の範囲】
【請求項１】
基台上面に垂直状態で固定されて外壁を構成する複数の壁パネルユニットと、
前記其台と,
前記基台と複数の壁パネルユニットとで構成される構造体を補強する補強ユニットと、
前記複数の壁パネルユニットを隣接状態で枠組することで形成された上方開口を閉成した状態で前記複数の壁パネルユニットの上縁に固定された一つ以上のトラス屋根ユニットとを備えた補強ユニットを備えたトラス式構造体において、
前記補強ユニットを備えたトラス式構造体の長手方向をＸ方向とし、前記Ｘ方向と直交する方向をＹ方向として、
前記補強ユニットは、Ｘ方向と直交する面内にて構成されたラーメンユニットと、
Ｙ方向と直交する面内にて構成されたピンブレースユニットとで構成され、
前記ラーメンユニットは、柱と、前記柱に直交する梁と、
前記柱と梁との交差部に設けられた接合部アングルと他の柱の中央に設けられた中継アングルとの間に配置された補強棒と、
前記柱と基台との交差部に設けられた接合部アングルと前記中継アングルとの間に配置された補強棒とで構成されており、
前記ピンブレースユニットは、X方向に配置された２本の柱と、
前記２本の柱と直交する梁と、
前記２本の柱と梁との交差部に設けられた接合部アングル、および前記２本の柱と前記基台との交差部に設けられた接合部アングルとの間に配置された、互いに交差する補強棒とで構成されていることを特徴とする補強ユニットを備えたトラス式構造体。
【請求項２】
前記補強棒は、鉄材、ステンレス鋼、あるいは樹脂のいずれかであることを特徴とする請求項１記載の補強ユニットを備えたトラス式構造体。
【請求項３】
前記補強ユニットを、複数組備えたことを特徴とする請求項１記載の補強ユニットを備えたトラス式構造体。
【手続補正２】
【補正対象書類名】明細書
【補正対象項目名】００１２
【補正方法】変更
【補正の内容】
【００１２】
その目的を達成するため、請求項１に記載の補強ユニットを備えたトラス式構造体は、基台上面に垂直状態で固定されて外壁を構成する複数の壁パネルユニットと、前記其台と,
前記基台と複数の壁パネルユニットとで構成される構造体を補強する補強ユニットと、前記複数の壁パネルユニットを隣接状態で枠組することで形成された上方開口を閉成した状態で前記複数の壁パネルユニットの上縁に固定された一つ以上のトラス屋根ユニットとを備えた補強ユニットを備えたトラス式構造体において、前記補強ユニットを備えたトラス式構造体の長手方向をＸ方向とし、前記Ｘ方向と直交する方向をＹ方向として、前記補強ユニットは、Ｘ方向と直交する面内にて構成されたラーメンユニットと、Ｙ方向と直交する面内にて構成されたピンブレースユニットとで構成され、前記ラーメンユニットは、柱と、前記柱に直交する梁と、前記柱と梁との交差部に設けられた接合部アングルと他の柱の中央に設けられた中継アングルとの間に配置された補強棒と、前記柱と基台との交差部に設けられた接合部アングルと前記中継アングルとの間に配置された補強棒とで構成されており、前記ピンブレースユニットは、X方向に配置された２本の柱と、前記２本の柱と直交する梁と、前記２本の柱と梁との交差部に設けられた接合部アングル、および前記２本の柱と前記基台との交差部に設けられた接合部アングルとの間に配置された、互いに交差する補強棒とで構成されていることを特徴とする補強ユニットを備えたトラス式構造体である。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
請求項２に記載の補強ユニットを備えたトラス式構造体は、前記補強棒が、鉄材、ステンレス鋼、あるいは樹脂のいずれかであることを特徴とする請求項１記載の補強ユニットを備えたトラス式構造体である。
【手続補正５】
【補正対象書類名】明細書
【補正対象項目名】００１５
【補正方法】変更
【補正の内容】
【００１５】
請求項３に記載の補強ユニットを備えたトラス式構造体は、前記補強ユニットを、複数組備えたことを特徴とする請求項１記載の補強ユニットを備えたトラス式構造体である。